(57)【要約】【課題】本発明は、作業者の負担を低減できる照明制御システムを提供することを目的とする。【解決手段】アドレス情報及び設定情報を第１メモリに格納し、照明器具を制御する端末器と、該端末器の該アドレス情報及び該設定情報を第２メモリに格納し、該アドレス情報を含む定期信号を該端末器に定期的に送信する照明コントローラと、を備え、該第１メモリに格納された該アドレス情報が変更されると、該端末器は該定期信号を受けた後に該照明コントローラに設定要求を返し、該設定要求を受けた該照明コントローラは、該第２メモリを参照し、変更後の該アドレス情報に対応した該設定情報を該端末器に送信する。【選択図】図３
2019200848.tif 000002
【特許請求の範囲】
【請求項１】
アドレス情報及び設定情報を第１メモリに格納し、照明器具を制御する端末器と、
前記端末器の前記アドレス情報及び前記設定情報を第２メモリに格納し、前記アドレス情報を含む定期信号を前記端末器に定期的に送信する照明コントローラと、を備え、
前記第１メモリに格納された前記アドレス情報が変更されると、前記端末器は前記定期信号を受けた後に前記照明コントローラに設定要求を返し、
前記設定要求を受けた前記照明コントローラは、前記第２メモリを参照し、変更後の前記アドレス情報に対応した前記設定情報を前記端末器に送信することを特徴とする照明制御システム。
【請求項２】
アドレス情報及び設定情報を第１メモリに格納し、照明器具を制御する端末器と、
前記端末器の前記アドレス情報及び前記設定情報を第２メモリに格納し、前記アドレス情報を含む定期信号を前記端末器に定期的に送信する照明コントローラと、を備え、
前記照明コントローラからの通信信号によらず設定器によって前記端末器の前記設定情報が変更された場合、前記端末器は前記定期信号を受けた後に前記照明コントローラに前記端末器の前記設定情報のモニタを要求し、
前記モニタの要求があると、前記照明コントローラは、前記端末器から変更後の前記設定情報を入手し、前記端末器の変更後の前記設定情報を前記第２メモリに格納することを特徴とする照明制御システム。
【請求項３】
前記端末器を複数備え、
前記設定情報は、複数の前記端末器をグループ分けするグループ情報を含むことを特徴とする請求項１又は２に記載の照明制御システム。
【請求項４】
前記設定情報は、前記照明コントローラのＩＤ情報であるコントローラＩＤを含むことを特徴とする請求項１から３のいずれか１項に記載の照明制御システム。
【請求項５】
前記定期信号は、前記端末器から前記照明コントローラへの信号の送信を許可する端末送信要求を含むことを特徴とする請求項１から４のいずれか１項に記載の照明制御システム。
【請求項６】
前記定期信号は、前記照明コントローラのＩＤ情報であるコントローラＩＤを含み、
前記端末器は、前記第１メモリに格納された前記コントローラＩＤと、前記定期信号に含まれる前記コントローラＩＤが相違する場合、前記定期信号に含まれる前記コントローラＩＤを前記第１メモリに格納することを特徴とする請求項１から５のいずれか１項に記載の照明制御システム。
【請求項７】
第１メモリを有し照明器具を制御する複数の端末器と、
複数の前記端末器のアドレス情報及び設定情報を第２メモリに格納し、前記アドレス情報を含む信号を前記端末器と送受信する照明コントローラと、を備え、
前記照明コントローラは、未設定端末器から、前記第２メモリに格納された前記アドレス情報とは異なるアドレス情報を含む設定要求を受けると、前記第２メモリに格納された前記アドレス情報を含む信号を前記複数の端末器に送信し、返信がなかった前記端末器の前記アドレス情報と前記設定情報を前記未設定端末器に送信することを特徴とする照明制御システム。
【請求項８】
前記照明コントローラは、前記未設定端末器から、前記第２メモリに格納された前記アドレス情報とは異なるアドレス情報を含む設定要求を受けると、前記第２メモリに格納された前記アドレス情報を含む信号を１つずつ前記複数の端末器に送信し、返信がない前記端末器を特定することを特徴とする請求項７に記載の照明制御システム。
【発明の詳細な説明】
【技術分野】
【０００１】
本発明は照明制御システムに関する。
【背景技術】
【０００２】
照明コントローラと、照明コントローラによって制御される複数の照明器具又は照明器具が接続された端末器とを含む照明制御システムがある。このような照明制御システムにおいては、照明コントローラが照明器具を制御するために照明器具又は端末器に個別にアドレスが設定される。
【０００３】
特許文献１には、照明器具を交換した場合、新しく設置された照明器具に未使用の新しいアドレスが自動で割り付けられる照明制御システムが開示されている。
【先行技術文献】
【特許文献】
【０００４】
【特許文献１】特開２０１０−２１１９３８号公報
【発明の概要】
【発明が解決しようとする課題】
【０００５】
特許文献１の照明制御システムは、新しく設置された照明器具にアドレスを自動で設定することができる。しかしながら、アドレス以外の情報を作業者が別途設定する必要があった。アドレス以外の情報は、例えば、グループ一斉制御に用いるグループ番号を含みえる。新しく設置された照明器具に対して設定すべき設定情報が多い場合、特許文献１の照明制御システムでは設定作業に時間がかかるという問題があった。
【０００６】
本発明は、上述のような課題を解決するためになされたもので、作業者の負担を低減できる照明制御システムを提供することを目的とする。
【課題を解決するための手段】
【０００７】
本願の発明に係る照明制御システムは、アドレス情報及び設定情報を第１メモリに格納し、照明器具を制御する端末器と、該端末器の該アドレス情報及び該設定情報を第２メモリに格納し、該アドレス情報を含む定期信号を該端末器に定期的に送信する照明コントローラと、を備え、該第１メモリに格納された該アドレス情報が変更されると、該端末器は該定期信号を受けた後に該照明コントローラに設定要求を返し、該設定要求を受けた該照明コントローラは、該第２メモリを参照し、変更後の該アドレス情報に対応した該設定情報を該端末器に送信することを特徴とする。
【０００８】
本願の発明に係る他の照明制御システムは、アドレス情報及び設定情報を第１メモリに格納し、照明器具を制御する端末器と、該端末器の該アドレス情報及び該設定情報を第２メモリに格納し、該アドレス情報を含む定期信号を該端末器に定期的に送信する照明コントローラと、を備え、該照明コントローラからの通信信号によらず設定器によって該端末器の該設定情報が変更された場合、該端末器は該定期信号を受けた後に該照明コントローラに該端末器の該設定情報のモニタを要求し、該モニタの要求があると、該照明コントローラは、該端末器から変更後の該設定情報を入手し、該端末器の変更後の該設定情報を該第２メモリに格納することを特徴とする。
【０００９】
本願の発明に係る他の照明制御システムは、第１メモリを有し照明器具を制御する複数の端末器と、複数の該端末器のアドレス情報及び設定情報を第２メモリに格納し、該アドレス情報を含む信号を該端末器と送受信する照明コントローラと、を備え、該照明コントローラは、未設定端末器から、該第２メモリに格納された該アドレス情報とは異なるアドレス情報を含む設定要求を受けると、該第２メモリに格納された該アドレス情報を含む信号を該複数の端末器に送信し、返信がなかった該端末器の該アドレス情報と該設定情報を該未設定端末器に送信することを特徴とする。
【００１０】
本発明のその他の特徴は以下に明らかにする。
【発明の効果】
【００１１】
本発明によれば、照明器具が新しく接続された端末器又は照明コントローラの設定情報を変更する必要がある場合に、他方の設定情報を得ることで、作業者の負担を低減できる。
【図面の簡単な説明】
【００１２】
【図１】実施の形態１に係る照明制御システムのブロック構成図である。
【図２】通信フレームの概念図である。
【図３】実施の形態１に係る照明制御システムの動作を示す通信シーケンス図である。
【図４】実施の形態２に係る照明制御システムの動作を示す通信シーケンス図である。
【図５】実施の形態３に係る照明制御システムの動作を示す通信シーケンス図である。
【図６】実施の形態３に係る照明コントローラの動作を示すフローチャートである。
【図７】実施の形態４に係る照明制御システムのグループ制御動作を示す通信シーケンス図である。
【発明を実施するための形態】
【００１３】
本発明の実施の形態に係る照明制御システムについて図面を参照して説明する。同じ又は対応する構成要素には同じ符号を付し、説明の繰り返しを省略する場合がある。
【００１４】
実施の形態１．
図１は照明制御システム１０の構成例を示す図である。照明制御システム１０は設定器１と、制御装置である照明コントローラ２を備えている。設定器１と少なくとも１台の照明コントローラ２は、有線又は無線の通信網であるＬＡＮ１１に接続されている。照明コントローラ２には、通信線１２を介して少なくとも１台の端末器が接続される。図１では、照明コントローラ２に３台の端末器３Ａ、３Ｂ、３Ｃが接続されている。端末器は複数設けることができ、その台数は２台でも４台以上でもよい。端末器３Ａ、３Ｂ、３Ｃは、照明器具を制御する制御端末器である。照明コントローラ２には、通信線１２を介して照度センサ又は人感センサ等のセンサ４及び壁スイッチ５などを接続可能である。
【００１５】
照明コントローラ２及び照明コントローラ２に接続された各機器間は、一対の通信線１２を渡り配線することにより接続される。通信線１２にて接続された照明コントローラ２及び照明コントローラ２に接続された各機器間は、例えば±２４Ｖの双極性の時分割多重信号で通信することができる。
【００１６】
図１の照明制御システム１０はさらに、リモコンリレー６及びリモコントランス７を備えている。端末器３Ａ、３Ｂ、３Ｃから延伸される制御信号線３１は、リモコンリレー６の入力側の一端に接続されている。図１の例では、１台の端末器と、４台のリモコンリレー６の入力側の一端とが、端末器から延伸される制御信号線３１を介して接続されている。図１の端末器３Ａ、３Ｂ、３Ｃに代えて、リモコンリレー６を内蔵した端末器を照明制御システム１０に接続してもよい。
【００１７】
リモコントランス７の入力側は外部電源に接続され、端末器３Ａ、３Ｂ、３Ｃの制御側及びリモコンリレー６の入力側にリモコンリレー６のリレー駆動電力を供給する。リレー駆動電力は、例えばＡＣ２４Ｖで供給される。リモコントランス７の出力側の一端は、端末器３Ａ、３Ｂ、３Ｃの共通端子に接続される。また、リモコントランス７の出力側の他端部は、リモコンリレー６の入力側の他端に接続される。
【００１８】
設定器１は、照明制御システム１０の一斉点灯又はスケジュール点灯等の設定操作及び消費電力の見える化、故障箇所の把握等の管理を行う部分である。設定器１は例えばパソコンで構成される。
【００１９】
照明コントローラ２は、通信線１２を介して端末器３Ａ、３Ｂ、３Ｃ、センサ４及び壁スイッチ５と双方向通信を行う。照明コントローラ２が送受信する通信信号は、例えば図２に示すアドレスデータ領域及び制御コマンドデータ領域を含む。
【００２０】
端末器３Ａ、３Ｂ、３Ｃは、ディップスイッチ等で構成されたアドレス設定部を備えている。このアドレス設定部を操作することにより端末器３Ａ、３Ｂ、３Ｃに固有のアドレスが割り当てられる。端末器３Ａ、３Ｂ、３Ｃのアドレス設定部の操作に代えて端末器３Ａ、３Ｂ、３Ｃのアドレス受信部と設定器１又はリモコン設定器とを用いて端末器３Ａ、３Ｂ、３Ｃに固有のアドレスを割り当てることもできる。
【００２１】
端末器３Ａ、３Ｂ、３Ｃには個別の端末器を特定するために異なるアドレスが設定される。端末器３Ａ、３Ｂ、３Ｃは、通信線１２を介して照明コントローラ２から送信される通信信号を受信する受信部、及び通信信号のアドレスデータを端末器３Ａ、３Ｂ、３Ｃに割り当てられた固有のアドレスと比較する比較部を有する。通信信号のアドレスデータが端末器に割り当てられた固有のアドレスと一致すると比較部が判断した場合、その端末器は、通信信号の制御コマンドを実行しリモコンリレー６を制御する。通信信号の制御指令コマンドでＯＮデータが送信された場合、端末器３Ａ、３Ｂ、３Ｃはリモコンリレー６を制御する端末器３Ａ、３Ｂ、３Ｃの共通端子とリモコンリレー６の入力側の一端との間を電気的に接続させる。このような端末器３Ａ、３Ｂ、３Ｃの制御側の動作により、リモコンリレー６の入力側にはリモコントランス７から例えばＡＣ２４Ｖのリレー駆動電圧が供給される。リモコンリレー６の入力側にリレー駆動電圧が入力されると、リモコンリレー６は負荷側の２つの端子間を接続させる。リモコンリレー６の負荷側の端子間に、外部電源と照明器具等の負荷を直列に接続することにより、照明器具等の負荷に供給される外部電源の電力を断続させることができる。このようにして端末器３Ａ、３Ｂ、３Ｃは、照明器具等の負荷の動作を制御する。
【００２２】
センサ４の人感センサＨＳは、検知範囲内の人の在／不在を検出する。人感センサＨＳは、人の在／不在の状態変化を検知すると、その情報を照明コントローラ２に送信する。センサ４の照度センサＬＳは受光部を有し照度を測定する。照度センサＬＳは、照明コントローラ２から照度を要求する照度モニタ信号を受信すると、測定した照度を送信する。
【００２３】
壁スイッチ５は、照明器具の点灯（ＯＮ）、消灯（ＯＦＦ）及び調光率等を操作するボタンを備える。センサ４及び壁スイッチ５に割り当てられるアドレス等の情報は、通電時に設定器１又は、照明制御システム１０とは接続されていないリモコン設定器を用いて設定される。
【００２４】
図２は、照明コントローラ２が送受信する通信信号の単位である通信フレームの概念図である。通信フレームは例えば、アドレスデータ領域と制御コマンド領域を含む。アドレスデータ領域には、送信先アドレスＤＡと送信元アドレスＳＡが含まれる。送信先アドレスＤＡには、送信先の機器のアドレス情報を指定することができる。意図する送信先が１つであれば機器アドレスＡを指定し、意図する送信先が複数の機器を含むグループであればグループ番号Ｂを指定し、意図する送信先が全ての機器であれば一斉送信であるブロードキャストＤを指定することができる。ブロードキャスト送信された通信信号は、通信線１２に接続された送信元以外の全ての機器に同報される。ブロードキャスト用の送信先アドレスとして、固有のアドレスが割り当てられている。
【００２５】
照明コントローラ２は機器のアドレスを指定して制御指令を送信することにより、個々の機器を個別に操作することができる。照明コントローラ２はまた、グループ番号を指定してグループ制御指令を送信することにより、グループ設定された機器を一斉に操作することができる。照明コントローラ２の不揮発性メモリに機器のアドレス情報と、グループ番号等の設定情報とを格納することで、個別の機器に対する制御指令又はグループに対する制御指令を送信することができる。
【００２６】
端末器３Ａ、３Ｂ、３Ｃはそれぞれ第１メモリを有し、各々のアドレス情報及び設定情報を第１メモリに格納することができる。例えば、以下の表１に示すアドレス情報と設定情報を各機器に登録することができる。表１の例では、５つの端末器３Ａ、３Ｂ、３Ｃ、３Ｄ、３Ｅにそれぞれアドレス情報１、２、３、４、５が登録されている。表１の例では、登録情報としてグループ情報とコントローラＩＤが挙げられている。グループ情報とは複数の端末器をグループとして管理する情報である。照明コントローラＩＤは、照明コントローラ２のＩＤ（識別）情報である。照明コントローラ２には、端末器３Ａ、３Ｂ、３Ｃ、３Ｄ、３Ｅのアドレス情報及び設定情報を格納した第２メモリを設けることができる。照明コントローラ２には、全ての機器のアドレス情報と設定情報を格納することができる。上述の第１メモリと第２メモリは例えば不揮発性メモリである。
【００２７】
【表１】
2019200848.tif 000003
【００２８】
ここでは、端末器３Ｅが故障したため、端末器３Ｅを交換用の端末器である交換品に交換したと仮定する。照明コントローラ２の第２メモリには表１の各機器のアドレス情報と設定情報が格納されている。他方、交換品である端末器３Ｆのアドレス情報と設定情報は未設定であるため、表１に示すように、端末器３Ｆの第１メモリ内のそれぞれの設定項目には「０」が格納されている。
【００２９】
図３は、照明制御システムの通信シーケンス図である。図３に示される通信１−９がこの順に行われる。まず、照明コントローラ２から定期的にブロードキャスト送信される信号を説明する。照明コントローラ２から定期的にブロードキャスト送信される信号は、例えば、コントローラＩＤと、端末送信要求を含む。
【００３０】
（コントローラＩＤ）
照明コントローラ２から定期的にコントローラＩＤが送信される。コントローラＩＤは、照明コントローラ２のＩＤ情報である。コントローラＩＤの送信は例えば通信６で行われる。コントローラＩＤの送信は例えば１分毎に行われる。このコントローラＩＤは、照明コントローラ２からブロードキャスト通信により送信される通信信号である。コントローラＩＤを受信した各機器は、受信したコントローラＩＤを、格納しているコントローラＩＤと比較する。各機器が受信したコントローラＩＤと、格納しているコントローラＩＤが異なっている場合、各機器は、受信したコントローラＩＤを第１メモリに格納する。さらに、各機器はコントローラＩＤの変更をトリガとして、照明コントローラ２に後述する通信信号を送信する。
【００３１】
（端末送信要求）
照明コントローラ２は定期的に端末送信要求をブロードキャスト通信により送信する。端末送信要求は、例えば３秒毎に送信することができる。端末送信要求は、通信線１２に接続された各機器に送信を要求するものである。言い換えると、端末器などの各機器から照明コントローラ２への信号の送信を許可するコマンドである。端末送信要求を受信した各機器は、以下の（１）−（３）のいずれかの動作を行う。
（１）  照明コントローラ２に設定情報を要求する。
（２）  照明コントローラ２に自己の設定情報を登録するべく、自己の設定情報をモニタするコマンドを送信するよう要求する。
（３）  何もしない。
【００３２】
（１）の場合、照明コントローラ２は、照明コントローラ２の第２メモリに格納されている設定情報を対象の機器に送信する。
（２）の場合、照明コントローラ２は、対象の機器に設定情報モニタ信号を送信する。設定情報モニタ信号を受信した対象の機器は、第１メモリの設定情報を照明コントローラ２に送信する。設定情報を受信した照明コントローラ２は第２メモリに格納された対象機器の設定情報を受信した設定情報に更新する。
【００３３】
以上説明したように、照明コントローラ２の第２メモリに格納された設定情報を更新する際には、先ず対象の機器からの設定情報モニタ要求を受信した照明コントローラ２が当該設定情報のモニタ信号を送信する。そして、モニタ信号を受信した対象の機器から設定情報が送信される。最後に、照明コントローラ２が受信した設定情報を格納する。このように、照明コントローラ２が２種類の通信コマンドを送信した後に受信した設定情報を第２メモリに格納するというトリガ条件を受けて同期する構成により、通信トラフィックの増大を抑制している。
【００３４】
上述のとおり、照明コントローラ２が定期的に端末送信要求を送信することにより、照明コントローラ２の第２メモリに格納されている設定情報と、各機器が第１メモリに格納している設定情報とを同期させている。なお、照明コントローラから端末器に定期的に送信するアドレス情報を含む定期信号として、コントローラＩＤと端末送信要求を例示したが、別の信号を含んでもよい。
【００３５】
次に、図３を参照しつつ、端末器の交換について説明する。具体的には、故障した端末器３Ｅを端末器３Ｆに交換する処理を説明する。まず、端末器３Ｆは未設定の状態で照明コントローラ２の通信線１２に接続される。その後、図３の通信１が行われる。通信１は、作業者が設定器１又はリモコン設定器を用いて、端末器３Ｅのアドレス情報（５）を、端末器３Ｆに設定する。これにより、図３の状態１が実現される。つまり、端末器３Ｆのアドレス情報が５となり、設定情報は未設定のままとなる。作業者は設定器１又はリモコン設定器に代えて、端末器３Ｆに設けられたディップスイッチを操作して、アドレス情報（５）を設定してもよい。ただし、端末器３Ｆのアドレス情報設定前及び設定後に、端末器３Ｆが接続された照明制御システム１０が通電されている必要がある。
【００３６】
次に、通信２では、状態１の端末器３Ｆが照明コントローラ２から端末送信要求を受信する。端末器３Ｆは、端末送信要求の受信を受け、自己の機器アドレス情報の変更をトリガとして、照明コントローラ２に設定要求を送信する。この送信が通信３である。通信３は、端末器３Ｆが定期信号を受けた後に、第１メモリに格納されたアドレス情報が変更されたことをトリガとして、端末器３Ｆが照明コントローラ２に設定要求を返すものである。ここで、設定要求は、照明コントローラ２に設定情報を送信するよう要求する通信コマンドである。
【００３７】
通信４では、設定要求を受けた照明コントローラ２が、第２メモリを参照し変更後のアドレス情報に対応した設定情報を端末器３Ｆに送信する。例えば、照明コントローラ２は送信元アドレス（５）を参照し、第２メモリに格納された端末器３Ｅの設定情報を読み出す。この例では、表１に記載されたグループ情報（２）を読み出す。そして照明コントローラ２は、端末器３Ｆの送信先アドレスとグループ情報（２）を含む通信フレームを、端末器３Ｆに送信する。
【００３８】
通信４によりグループ情報（２）を受信した端末器３Ｆは、自己の設定情報を書き換える。具体的には、端末器３Ｆの第１メモリのグループ情報を０から２に書きかえる。このように、照明コントローラ２の第２メモリに格納された端末器３Ｅの設定情報を、交換後の端末器である端末器３Ｆに送信することで、作業者が設定することなく設定情報の設定が可能となる。
【００３９】
通信５では、定期信号である端末送信要求がすべての機器に送信される。ここでは、アドレス情報の変更があった機器は存在しないので、各機器において設定要求を送信するトリガが発生していない状態である。したがって、すべての機器は、通信５に対して何もしない。このように、照明制御システム１０の通信を構成することにより不要な通信トラフィックの発生を抑制している。なお、トリガとして、アドレス情報の変更があったことを挙げたが、アドレス情報の変更があったことは一例であり、これは図３ではトリガ条件１と定義されている。
【００４０】
通信６は、照明コントローラ２から定期的に送信されるコントローラＩＤである。ここでは、コントローラＩＤ（１）が送信される。コントローラＩＤ（１）を受信した端末器３Ｆは、受信したコントローラＩＤ（１）を、端末器３Ｆの第１メモリに格納されたコントローラＩＤ（０）と比較する。端末器３Ｆは、両者が相違する場合、照明コントローラ２から送信されたコントローラＩＤ（１）を、端末器３Ｆの第１メモリに格納する。これにより、図３の状態３に示されるように、端末器３ＦのコントローラＩＤが１に設定される。
【００４１】
通信７は、照明コントローラ２から定期的に送信される端末送信要求である。端末送信要求を受けた端末器３Ｆは、コントローラＩＤの変更がトリガとなり、照明コントローラ２を送信先アドレスに指定し設定要求を送信する。この送信が通信７である。図３では、このトリガはトリガ条件２と定義されている。通信７で設定要求を受信した照明コントローラ２は、送信元のアドレス情報（５）を参照し、第２メモリに格納された端末器３Ｅの設定情報（グループ情報＝２）を読み出す。
【００４２】
通信８は、照明コントローラ２から端末器３Ｆへ、送信先アドレスに端末器３Ｆのアドレス情報（５）を含み制御コマンドにグループ情報（２）を含む通信フレームを送信するものである。これを受信した端末器３Ｆはグループ情報（２）を端末器３Ｆの第１メモリに上書きする。通信９は、照明コントローラ２から定期に送信されるコントローラＩＤである。
【００４３】
このように、照明コントローラ２に未設定の端末器３Ｆを接続した後、作業者は端末器３Ｆのアドレス情報を交換前の端末器３Ｅのアドレス情報（５）に変更するだけで、照明コントローラ２に格納された端末器３Ｅの設定情報を端末器３Ｆに設定することができる。これにより、照明コントローラ２の第２メモリに格納されたアドレス情報及び設定情報と、端末器３Ｆの第１メモリに格納されたアドレス情報及び設定情報を同期させることができる。よって、作業者による端末器３Ｆの設定作業の負荷が軽減される。
【００４４】
実施の形態１では、照明コントローラ２の端末器を１台交換する場合を説明したが、照明制御システム１０は端末器を２台以上交換する場合にも対応できる。端末器を２台以上交換する場合、作業者は、交換品であり未設定状態の端末器のアドレス情報を、１台ずつ交換前の端末器のアドレス情報に一致させていけばよい。このように照明制御システム１０が動作することにより、端末器を２台以上交換する場合、作業者が交換品である新しい端末器を１台ずつ接続して設定していく必要がない。このため、作業者の設定作業が軽減される。
【００４５】
図３では、コントローラＩＤの変更に伴うトリガ条件２の発生によって、通信７において端末器３Ｆは照明コントローラ２に設定情報を要求している。しかしながら、端末器３Ｆが自身のグループ情報が未設定でなく（２）が設定されていることを参照し、これを条件として、通信７の設定要求を取り止めてもよい。このように、未設定の設定情報のみを照明コントローラ２に要求する構成により、照明制御システム１０において不要な通信トラフィックの発生を抑制することができる。
【００４６】
さらに、コントローラＩＤの変更に伴いトリガ条件２が生じ、端末器３Ｆの設定情報を照明コントローラ２の第２メモリに格納された設定情報に同期させることにより、端末器の交換以外の原因で端末器の第１メモリに格納されたデータが壊れてしまった場合であっても、当該端末器の設定情報を照明コントローラ２の第２メモリに格納された設定情報に同期させることができる。
【００４７】
以下の実施の形態では、特別な記載がない限り上記の構成及び動作を前提とすることができる。
【００４８】
実施の形態２．
実施の形態２に係る照明制御システムは、交換後の端末器３Ｆに設定した情報を照明コントローラ２に送信することができる。図４は、実施の形態２に係る照明制御システムの動作を示す図である。図４において、実施の形態１と同一又は相当の構成については、同一の符号を付す。
【００４９】
通信１では、設定器１又はリモコン設定器から端末器３Ｆのグループ情報が２から３に変更される。つまり、状態１から状態２への変更に伴うグループ情報の変更は、作業者によって行われ得る。
【００５０】
通信２では、照明コントローラ２から端末送信要求が送信される。この時、交換された端末器３Ｆは、照明コントローラ２の設定命令を未受信であるにもかかわらず設定情報が変更されたことがトリガとなり、照明コントローラ２に設定情報であるグループ番号のモニタ、すなわち情報収集を要求する。この要求が通信３である。図４では、このトリガはトリガ条件３と定義されている。このように、実施の形態２の端末器は、照明コントローラ２の要求によらず設定器１等によって端末器の設定情報が変更された場合、端末器は定期信号を受けた後に照明コントローラ２に端末器の設定情報のモニタを要求する。
【００５１】
通信４は、モニタ要求を受けた照明コントローラ２が、端末器３Ｆに対する情報収集命令として、端末器３Ｆにグループ番号モニタを送信するものである。通信５は、グループ番号モニタを受信した端末器３Ｆが端末器３Ｆの第１メモリに格納されたグループ情報を、照明コントローラ２に対し送信する。具体的には、グループ情報（３）を送信する。
【００５２】
通信５により、照明コントローラ２は、端末器３Ｆから変更後の設定情報であるグループ情報（３）を入手する。そして、動作６により、照明コントローラ２は、端末器３Ｆから受信した変更後の設定情報を第２メモリに格納する。具体的には、第２メモリにおける端末器３Ｆのグループ情報を２から３に書きかえる。
【００５３】
このように、端末器で変更された設定情報を照明コントローラ２に送信することにより、照明コントローラ２の第２メモリに格納される設定情報を、各機器の第１メモリに格納された最新の設定情報と同期させることができる。更に、照明コントローラ２が、例えばグループ番号モニタなどの設定情報モニタ命令を端末器に送信し、その応答として端末器から送信された設定情報を受信して初めて照明コントローラ２に格納された情報を書き換えるという通信シーケンスにより、誤ったデータが照明コントローラ２に格納されることを抑制することができる。
【００５４】
実施の形態３．
実施の形態３の照明制御システムでは、未設定の端末器に、交換前の端末器３Ｅの設定情報を送信する。図５は、実施の形態３に係る照明制御システムの動作を示す図である。図５において、実施の形態１、２と同一又は相当の構成については、同一の符号を付す。
【００５５】
交換品である端末器３Ｆは、図５に示す最初の処理である接続１によって、照明コントローラ２の通信線１２に接続される。この段階では、端末器３Ｆにはアドレス情報も設定情報も設定されていない。
【００５６】
通信２は、照明コントローラ２から、定期的に送信されるコントローラＩＤである。ここではコントローラＩＤ（１）が送信される。コントローラＩＤ（１）を受けた端末器３Ｆは、受信したコントローラＩＤ（１）を、端末器３Ｆの第１メモリに格納しているコントローラＩＤ（０）と比較する。受信したコントローラＩＤ（１）と格納しているコントローラＩＤ（０）が異なっているため、端末器３Ｆは、受信したコントローラＩＤ（１）を端末器３Ｆの第１メモリに格納する。これにより、状態２で示されるように、端末器３ＦのコントローラＩＤが０から１に更新される。すべての端末器がこの比較を行うこととしてもよい。その場合、端末器３Ｆでのみ相違が見出される。
【００５７】
通信３は、照明コントローラ２から定期的に送信される端末送信要求である。通信３を受けて、端末器３Ｆは、コントローラＩＤの変更をトリガとして、照明コントローラ２に対し設定要求を送信する。この送信が通信４である。通信４は、未設定端末器である端末器３Ｆが、アドレス情報（０）を含む設定要求を出すものである。アドレス情報（０）は照明コントローラ２の第２メモリに登録されていない。したがって、通信４は、第２メモリに格納されたアドレス情報とは異なるアドレス情報を含む設定要求である。
【００５８】
この設定要求を受けた照明コントローラ２は、送信元アドレス（０）を参照しても、第２メモリに格納された端末器３Ｅの設定情報を特定することができない。このような状況で、本実施形態の照明制御システムは、端末器３Ｅの設定情報を特定するために、第２メモリに格納されている端末器のアドレス情報を順番に送信先アドレスとして、設定情報を要求する通信コマンドを送信する。そして、照明コントローラ２は、返信がなかった端末器が交換前の端末器３Ｅであると特定する。すなわち、照明コントローラは、第２メモリに格納されたアドレス情報を含む信号を複数の端末器に送信し、返信がなかった端末器のアドレス情報と設定情報を未設定端末器である端末器３Ｆに送信する。
【００５９】
図６のフローチャートを用いて、未設定端末器の設定情報を特定するために、照明コントローラ２が行う動作アルゴリズムを示す。照明コントローラ２に格納されている複数の端末器３Ａ、３Ｂ・・・の設定情報はＴＵ１、ＴＵ２、・・・、ＴＵ（ｎ）の順に並んでいるものとする。最初の工程Ｓ１で、ｎ＝１を入力し送信先アドレスを端末器３Ａに指定する。そして工程Ｓ２で、端末器３Ａに端末器３Ａのグループ番号モニタを送信する。
【００６０】
次いで、工程Ｓ３において、例えば端末器３Ａが返信を送信するであろう処理時間待機した後、返信の有無をチェックする。返信を受信した場合、工程Ｓ５に進み、ｎをインクリメントし、送信先アドレスを端末器３Ｂに指定し、工程Ｓ２にて、端末器３Ｂに端末器３Ｂのグループ番号モニタを送信する。
【００６１】
この処理を繰り返すと、工程Ｓ３にて、端末器３Ｅから返信がないことが見出される。そうすると、照明コントローラ２は工程Ｓ４にて、端末器３Ｅが交換前の端末器であると特定する。
【００６２】
図５の通信６では、照明コントローラ２は、上述の方法で特定された交換前の端末器３Ｅに関するアドレス情報（５）を端末器３Ｆに対し送信する。これを受けた端末器３Ｆは端末器３Ｆの第１メモリにおけるアドレス情報を０から５に変更する。
【００６３】
さらに、通信７にて、照明コントローラ２が、交換前の端末器３Ｅに関する設定情報を端末器３Ｆに送信する。具体的には、送信先アドレスとして５を含み、制御コマンドとしてグループ情報（２）を含む通信フレームを出す。通信６、７を受けて、端末器３Ｆは、アドレス情報を０から５に書きかえ、グループ情報を０から２に書きかえる。こうして状態３が実現される。
【００６４】
このように、実施の形態３の照明コントローラ２は、未設定端末器から、第２メモリに格納されたアドレス情報とは異なるアドレス情報を含む設定要求を受けると、その未設定端末器に設定すべきアドレス情報と設定情報を特定する。図６のフローチャートはその特定方法の具体例である。図６の処理は、第２メモリに格納されたアドレス情報を含む信号を１つずつ複数の端末器に送信し、返信がない端末器を特定するものである。このような逐次的な信号送信に代えて、すべての端末器に一括して信号を出し、返信しない端末器を特定してもよい。実施の形態３の照明制御システムでは、作業者による未設定端末器への機器アドレス及び設定情報の設定作業をすることなく、未設定端末器にアドレス情報及び設定情報を設定することができる。
【００６５】
なお、作業者は、設定器１にアクセスすることによって、未設定端末器である端末器３Ｆの設定状況を確認することができる。端末器３Ｆに未設定のアドレス情報及び設定情報がなければ、設定が完了したと判断できる。このとき念のため、通信ログを確認し、重大な通信エラーが発生していないことを確認しておくことが望ましい。
【００６６】
実施の形態４．
本実施の形態では図７の通信シーケンス図を用いて、照明制御システム１０のグループ登録処理及びグループ制御の動作の一例を説明する。図７において、実施の形態１〜３と同一又は相当の構成については、同一の符号を付す。
【００６７】
まず作業者は、通信１にて、リモコン設定器からＬＡＮ１１を介して照明コントローラ２にグループ情報コマンド（Ｇ１＝ＴＵ１、ＴＵ２、ＴＵ３）を送信する。照明コントローラ２は、受信したグループ情報を第２メモリに格納する。
【００６８】
通信２−４にて、照明コントローラ２は通信線１２を介して端末器３Ａ、端末器３Ｂ及び端末器３Ｃにグループ番号登録コマンドを送信する。端末器３Ａ、端末器３Ｂ及び端末器３Ｂは、アドレス情報、及びグループ情報を含む設定情報を有している。アドレス情報及び設定情報は、それぞれの端末器の第１メモリに格納される。
【００６９】
通信５にて、照明コントローラ２は、通信線１２を介して壁スイッチ５に壁スイッチ情報登録コマンド（Ｇ１）を送信する。これにより、壁スイッチ５においてグループ１（Ｇ１）に対応するボタン番号がひも付けされる。
【００７０】
次に、照明制御システムのグループ制御について説明する。まず、使用者により壁スイッチ５のグループ１（Ｇ１）に相当するボタンが押されると、壁スイッチ５のグループ１に相当するスイッチの状態が「押下なし」から「押下あり」に変化する。照明コントローラ２は、定期的、例えば０．５秒毎に、壁スイッチ５のスイッチ操作の確認命令である起動モニタ信号を壁スイッチ５に送信する。この送信は図７における通信６である。
【００７１】
壁スイッチ５は、照明コントローラ２から起動モニタ信号を受信すると、壁スイッチ５のスイッチの状態の変化の有無を確認する。壁スイッチ５は、スイッチの状態に変化があった場合、壁スイッチ５のＧ１ボタン押下通知である起動モニタ応答を、照明コントローラ２に送信する。この送信が通信７である。
【００７２】
起動モニタ応答は、「ＬＣ１というＩＤが付与された照明コントローラ２のグループ１（Ｇ１）の押下あり」というスイッチの動作を示すものである。これを受けた照明コントローラ２は、照明コントローラ２に格納されたステータステーブルのスイッチの状態を更新するため、制御対象である端末器のそれぞれの制御状態を示すステータステーブルを（Ｇ１ＯＮ）に更新する。制御対象のステータステーブルは、照明制御システムにおいて停電等が発生しても不安定な動作とならないよう、フラッシュメモリ等の不揮発性メモリに格納される。
【００７３】
次に、照明コントローラ２は、通信８として、グループ制御指令（Ｇ１ＯＮ）を送信する。照明コントローラ２から通信線１２を介して端末器３Ａ、３Ｂ、３Ｃにグループ制御指令（Ｇ１ＯＮ）がグループ同報され、端末器３Ａ、３Ｂ、３Ｃに接続された照明器具が点灯する。このときの端末器３Ａ、３Ｂ、３Ｃの内部動作を以下に説明する。
【００７４】
グループ制御指令（Ｇ１ＯＮ）を受信した端末器３Ａ、３Ｂ、３Ｃは、送信先アドレスのグループ番号（Ｇ１９）と、自機器に登録されたグループ番号を比較する。送信先アドレスのグループ番号と自機器に登録されたグループ番号が一致した場合、対象機器はグループ制御指令を処理する。
【００７５】
グループ１（Ｇ１）が登録された端末器３Ａ、３Ｂ、３Ｃは、図１の構成の場合、制御側、リモコンリレー６が内蔵された端末器の場合、負荷側をＯＮさせることにより、負荷として接続された照明器具を点灯させる。
【００７６】
照明コントローラ２は、通信９として、壁スイッチ表示指令コマンド（Ｇ１ＯＮ）を壁スイッチ５に送信する。照明コントローラ２から通信線１２を介して壁スイッチ５に（Ｇ１ＯＮ）がグループ同報され、壁スイッチ５は、該当するボタンであるＧ２のＬＥＤを赤点灯させる。
【００７７】
使用者により壁スイッチ５のグループ１（Ｇ１）に相当するボタンが押されると、通信１０である定期的、例えば０．５秒毎に送信される起動モニタ（ＳＷ１）を受信したタイミングで、壁スイッチ５から照明コントローラ２に起動モニタ応答として壁スイッチ５のＧ１ボタン押下通知が送信される。この送信が通信１１である。
【００７８】
この起動モニタ応答を受信した照明コントローラ２は、通信１２としてグループ制御指令（Ｇ１ＯＦＦ）を送信する。照明コントローラ２から通信線１２を介して端末器３Ａ、３Ｂ、３Ｃにグループ制御指令（Ｇ１ＯＦＦ）がグループ同報され、端末器３Ａ、３Ｂ、３Ｃに接続された照明器具が消灯する。
【００７９】
照明コントローラ２はまた、通信１３として壁スイッチ表示指令コマンド（Ｇ１ＯＦＦ）を送信する。照明コントローラ２から通信線１２を介して壁スイッチ５に（Ｇ１ＯＦＦ）がグループ同報され、壁スイッチ５は、該当するボタンであるＧ２のＬＥＤを緑点灯させる。
【００８０】
このようにして照明コントローラ２はグループ設定された端末器３Ａ、３Ｂ、３Ｃを一斉点灯又は一斉消灯させることができる。
【符号の説明】
【００８１】
１  設定器、  ２  照明コントローラ、  ３Ａ〜３Ｆ  端末器、  ４  センサ、  ５  壁スイッチ、  ６  リモコンリレー、  ７  リモコントランス、  １１  ＬＡＮ、  １２  通信線
【図１】
2019200848.tif 000004
【図２】
2019200848.tif 000005
【図３】
2019200848.tif 000006
【図４】
2019200848.tif 000007
【図５】
2019200848.tif 000008
【図６】
2019200848.tif 000009
【図７】
2019200848.tif 000010